【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  機器が設置される機器設置場所と各機器の機器ＩＤとを対応させて記憶する機器設置データベースを設け、
設置されている機器の機器ＩＤを読み出し、
前記読み出した機器ＩＤが前記機器設置データベースに記憶されており、かつ前記機器ＩＤを読み出した機器の機器設置場所が前記機器設置データベースに記憶されている当該機器ＩＤに対応する機器設置場所と一致する場合に正常な機器であると判断し、
前記読み出した機器ＩＤが前記機器設置データベースに記憶されているが、前記機器ＩＤを読み出した機器の機器設置場所が前記機器設置データベースに記憶されている当該機器ＩＤに対応する機器設置場所と一致しない場合には、前記機器ＩＤを読み出した機器の機器設置場所を前記機器設置データベースの当該機器ＩＤに対応する機器設置場所として記憶し、
前記読み出した機器ＩＤが前記機器設置データベースに記憶されていない場合には異常警報を出力する機器管理方法。
【請求項２】  機器が設置される店舗内の設置場所と各機器の機器ＩＤとを対応させて記憶する機器設置データベースを設け、
前記機器が取り付けられた装置が店舗内に設置される前に、前記機器設置データベースに機器ＩＤが記憶され、
設置されている機器の機器ＩＤを読み出し、
前記読み出した機器ＩＤが前記機器設置データベースに記憶されており、かつ前記機器ＩＤを読み出した機器の店舗内の設置場所が前記機器設置データベースに記憶されている当該機器ＩＤに対応する店舗内の設置場所と一致する場合に正常な機器であると判断し、
前記読み出した機器ＩＤが前記機器設置データベースに記憶されているが、前記機器ＩＤを読み出した機器の店舗内の設置場所が前記機器設置データベースに記憶されている当該機器ＩＤに対応する店舗内の設置場所と一致しない場合には、前記機器ＩＤを読み出した機器の店舗内の設置場所を前記機器設置データベースの当該機器ＩＤに対応する店舗内の設置場所として記憶し、
前記読み出した機器ＩＤが前記機器設置データベースに記憶されていない場合には異常警報を出力する機器管理方法。
【請求項３】  各機器に機器ＩＤと乱数を記憶させるとともに、乱数を各機器の機器ＩＤに対応させて記憶する機器設置データベースを設け、
設置された機器の機器ＩＤ及び乱数を読み出し、
前記機器設置データベースから前記読み出した機器ＩＤに対応する乱数を読み出し、前記読み出した乱数が前記機器から読み出した乱数と一致する場合に正常な機器であると判断する機器管理方法。
【請求項４】  各機器に機器ＩＤと、情報と、当該機器に割り当てられた符号生成鍵及び該符号生成鍵を用いて前記情報から生成した符号から当該機器に割り当てられた秘密鍵を用いて生成した冗長情報とを記憶させるとともに、秘密鍵を各機器の機器ＩＤに対応させて記憶する機器設置データベースを設け、
設置されている機器の機器ＩＤを読み出し、
前記機器設置データベースから前記読み出した機器ＩＤに対応する秘密鍵を読み出し、
前記読み出した秘密鍵を用いて前記機器ＩＤを読み出した機器に記憶されている冗長情報から符号生成鍵及び符号を再生し、
前記再生した符号再生鍵を用いて前記機器ＩＤを読み出した機器に記憶されている情報から生成した符号が前記再生した符号と一致する場合に正常な機器であると判断する機器管理方法。
【請求項５】  各機器に機器ＩＤと情報とを記憶させるとともに、符号生成鍵と、該符号生成鍵を用いて当該機器ＩＤの機器に記憶される情報から生成した符号とを各機器の機器ＩＤに対応させて記憶する機器設置データベースを設け、
設置されている機器の機器ＩＤを読み出し、
前記機器設置データベースから前記読み出した機器ＩＤに対応する符号生成鍵を読み出し、
前記読み出した符号生成鍵を用いて前記機器ＩＤを読み出した機器に記憶されている情報から符号を生成し、
前記生成した符号が前記機器設置データベースに記憶されている前記読み出した機器ＩＤに対応する符号と一致する場合に正常な機器であると判断する機器管理方法。
【請求項６】  請求項４または５に記載の機器管理方法であって、
前記機器に記憶させる情報がプログラムであり、前記符号は当該機器ＩＤの機器に割り当てられている符号生成鍵を用いて当該機器ＩＤの機器に記憶されるプログラムから生成する機器管理方法。
【手続補正２】
【補正対象書類名】明細書
【補正対象項目名】０００４
【補正方法】変更
【補正の内容】
【０００４】
【課題を解決するための手段】
前記課題を解決するために、請求項１に記載の発明は、機器が設置される機器設置場所と各機器の機器ＩＤとを対応させて記憶する機器設置データベースを設け、設置されている機器の機器ＩＤを読み出し、前記読み出した機器ＩＤが前記機器設置データベースに記憶されており、かつ前記機器ＩＤを読み出した機器の機器設置場所が前記機器設置データベースに記憶されている当該機器ＩＤに対応する機器設置場所と一致する場合に正常な機器であると判断し、前記読み出した機器ＩＤが前記機器設置データベースに記憶されているが、前記機器ＩＤを読み出した機器の機器設置場所が前記機器設置データベースに記憶されている当該機器ＩＤに対応する機器設置場所と一致しない場合には、前記機器ＩＤを読み出した機器の機器設置場所を前記機器設置データベースの当該機器ＩＤに対応する機器設置場所として記憶し、前記読み出した機器ＩＤが前記機器設置データベースに記憶されていない場合には異常警報を出力する機器管理方法である。
請求項１に記載の機器管理方法を用いれば、機器の機器ＩＤと機器の設置場所に基づいて正常な機器であるか否かを判断しているため、不正な機器に取り替えられたことを容易に判別することができる。また、機器の設置場所を変更した場合に機器設置データベースが自動的に更新されるため、機器設置データベースの管理が容易である。さらには、不正な機器の設置位置や異常内容等を容易に判別することができる。
また、請求項２に記載の発明は、機器が設置される店舗内の設置場所と各機器の機器ＩＤとを対応させて記憶する機器設置データベースを設け、前記機器が取り付けられた装置が店舗内に設置される前に、前記機器設置データベースに機器ＩＤが記憶され、設置されている機器の機器ＩＤを読み出し、前記読み出した機器ＩＤが前記機器設置データベースに記憶されており、かつ前記機器ＩＤを読み出した機器の店舗内の設置場所が前記機器設置データベースに記憶されている当該機器ＩＤに対応する店舗内の設置場所と一致する場合に正常な機器であると判断し、前記読み出した機器ＩＤが前記機器設置データベースに記憶されているが、前記機器ＩＤを読み出した機器の店舗内の設置場所が前記機器設置データベースに記憶されている当該機器ＩＤに対応する店舗内の設置場所と一致しない場合には、前記機器ＩＤを読み出した機器の店舗内の設置場所を前記機器設置データベースの当該機器ＩＤに対応する店舗内の設置場所として記憶し、前記読み出した機器ＩＤが前記機器設置データベースに記憶されていない場合には異常警報を出力する機器管理方法である。
請求項２に記載の機器管理方法を用いれば、機器の機器ＩＤと機器の店舗内の設置場所に基づいて正常な機器であるか否かを判断しているため、不正な機器に取り替えられたことを容易に判別することができる。また、機器の店舗内の設置場所を変更した場合に機器設置データベースが自動的に更新されるため、機器設置データベースの管理が容易である。さらには、不正な機器の設置位置や異常内容等を容易に判別することができる。
また、請求項３に記載の発明は、各機器に機器ＩＤと乱数を記憶させるとともに、乱数を各機器の機器ＩＤに対応させて記憶する機器設置データベースを設け、設置された機器の機器ＩＤ及び乱数を読み出し、前記機器設置データベースから前記読み出した機器ＩＤに対応する乱数を読み出し、前記読み出した乱数が前記機器から読み出した乱数と一致する場合に正常な機器であると判断する機器管理方法である。
請求項３に記載の機器管理方法を用いれば、設置されている機器の機器ＩＤを推定できたとしても乱数を一致させることができないため、不正な機器に取り替えられたことを容易、確実に判別することができる。
また、請求項４に記載の発明は、各機器に機器ＩＤと、情報と、当該機器に割り当てられた符号生成鍵及び該符号生成鍵を用いて前記情報から生成した符号から当該機器に割り当てられた秘密鍵を用いて生成した冗長情報とを記憶させるとともに、秘密鍵を各機器の機器ＩＤに対応させて記憶する機器設置データベースを設け、設置されている機器の機器ＩＤを読み出し、前記機器設置データベースから前記読み出した機器ＩＤに対応する秘密鍵を読み出し、前記読み出した秘密鍵を用いて前記機器ＩＤを読み出した機器に記憶されている冗長情報から符号生成鍵及び符号を再生し、前記再生した符号再生鍵を用いて前記機器ＩＤを読み出した機器に記憶されている情報から生成した符号が前記再生した符号と一致する場合に正常な機器であると判断する機器管理方法である。
請求項４に記載の機器管理方法を用いれば、機器に記憶されている冗長情報から符号生成鍵及び符号を再生する秘密鍵が機器設置データベースに記憶されているため、符号生成鍵及び秘密鍵が漏洩する可能性は殆どない。これにより、不正な機器に取り替えられたことあるいは機器の情報が不正な情報に改竄されたことを確実に判別することができる。
また、請求項５に記載の発明は、各機器に機器ＩＤと情報とを記憶させるとともに、符号生成鍵と、該符号生成鍵を用いて当該機器ＩＤの機器に記憶される情報から生成した符号とを各機器の機器ＩＤに対応させて記憶する機器設置データベースを設け、設置されている機器の機器ＩＤを読み出し、前記機器設置データベースから前記読み出した機器ＩＤに対応する符号生成鍵を読み出し、前記読み出した符号生成鍵を用いて前記機器ＩＤを読み出した機器に記憶されている情報から符号を生成し、前記生成した符号が前記機器設置データベースに記憶されている前記読み出した機器ＩＤに対応する符号と一致する場合に正常な機器であると判断する機器管理方法である。
請求項５に記載の機器管理方法を用いれば、符号生成鍵及び符号を機器設置データベースに記憶しているため、符号生成鍵が漏洩する可能性は殆どない。これにより、不正な機器に取り替えられたことあるいは機器の情報が不正な情報に改竄されたことを確実に判別することができる。さらに、符号生成鍵が漏洩した場合でも、機器設置データベースに記憶されている符号生成鍵を変更するだけでよいため、符号生成鍵漏洩時の対策が容易である。
また、請求項６に記載の発明は、請求項４または５に記載の機器管理方法であって、前記機器に記憶させる情報がプログラムであり、前記符号は当該機器ＩＤの機器に割り当てられている符号生成鍵を用いて当該機器ＩＤの機器に記憶されるプログラムから生成する。
請求項６に記載の機器管理方法を用いれば、プログラムが不正に改竄されたことを確実の判別することができる。
【手続補正３】
【補正対象書類名】明細書
【補正対象項目名】００３２
【補正方法】変更
【補正の内容】
【００３２】
【発明の効果】
以上説明したように、請求項１および請求項２に記載の機器管理方法を用いれば、不正な機器に取り替えられたことを容易に判別することができる。また、機器設置データベースの管理が容易である。さらに、不正な機器の設置位置や異常内容等を容易に判別することができる。
また、請求項３に記載の機器管理方法を用いれば、不正な機器に取り替えられたことを容易、確実に判別することができる。
また、請求項４に記載の機器管理方法を用いれば、不正な機器に取り替えられたことあるいは機器の情報が不正な情報に改竄されたことを確実に判別することができる。
また、請求項５に記載の機器管理方法を用いれば、不正な機器に取り替えられたことあるいは機器の情報が不正な情報に改竄されたことを確実に判別することができる。さらに、符号生成鍵漏洩時の対策が容易である。
また、請求項６に記載の機器管理方法を用いれば、プログラムが不正に改竄されたことを確実の判別することができる。